(57)【要約】【課題】短期間に受信状況の変動が大きい環境下でもアナログ放送とデジタル放送との切り替えのチャタリングを抑制したＩＢＯＣ放送受信機を提供する。【解決手段】サイマル放送のハイブリッド受信のときに異なる２つのビットエラーレートを閾値とし、２つの閾値に基づいてデジタル放送受信とアナログ放送受信と相互に切り替えるＩＢＯＣ放送受信機において、所定期間内に受信放送の切り替えが生じた回数を計数し、この計数値が予め定めた回数を超える場合、２つの閾値（Ａ、Ｂ）間のヒステリス幅を増大させ、ヒステリス幅を増大させた閾値（Ａ′、Ｂ′）によって所定期間内に受信放送の切り替えが生じた回数を計数して、この計数値が予め定めた回数未満のときは２つの閾値間のヒステリス幅を減少させる。【選択図】        図２
2005012595.tif 000002
【特許請求の範囲】
【請求項１】
サイマル放送のハイブリッド受信のときに異なる２つのビットエラーレートを閾値とし、２つの閾値に基づいてデジタル放送受信とアナログ放送受信と相互に切り替えるＩＢＯＣ放送受信機において、所定期間内に受信放送の切り替えが生じた回数を計数し、この計数値が予め定めた回数を超える場合、２つの閾値間のヒステリス幅を増大させ、ヒステリス幅を増大させた閾値によって所定期間内に受信放送の切り替えが生じた回数を計数して、この計数値が予め定めた回数未満のときは２つの閾値間のヒステリス幅を減少させることを特徴とするＩＢＯＣ放送受信機。
【発明の詳細な説明】
【０００１】
【発明の属する技術分野】
本発明はアナログサイドバンドの外側周波数帯域にデジタル情報を配置して同一放送周波数で放送するイン・バンド・オン・チャンネル（ＩＢＯＣ）放送局からの放送を受信するＩＢＯＣ放送受信機に関する。
【０００２】
【従来の技術】
アナログサイドバンドの外側周波数帯域にデジタル情報を配置して同一放送周波数で放送するＩＢＯＣ放送は知られている（例えば、特許文献１参照）。ＩＢＯＣ放送には大きく分けて２つの放送モードがあり、１つはデジタル放送のみが行われるフルデジタル放送、もう１つはアナログ放送とデジタル放送とが混在するハイブリッド放送がある。ＩＢＯＣハイブリッド放送では従来のアナログ放送受信機でもＩＢＯＣ放送のアナログ放送部分の受信ができる。
【０００３】
ハイブリッド放送ではＩＢＯＣ放送局から同じ放送周波数でアナログ放送とデジタル放送とが同時に放送される。この際、アナログ放送とデジタル放送で同一放送内容が放送されるサイマル放送を実施する場合がある。これを利用して放送の受信状況によってアナログ放送とデジタル放送とを切り替えるブレンド機能を実現することができる。ブレンド機能によって放送の切替にはデジタル放送のビットエラーレートを切り替えの判定材料としている。
【０００４】
【特許文献１】
特表２００２−５１０８９７号公報（第１０頁、第１図）。
【０００５】
【発明が解決しようとする課題】
しかしながら、車載チューナの場合のような移動受信の場合では、例えば建築物密集地域における移動によって受信状況が大きく変化する。この場合、アナログ放送受信とデジタル放送受信とが切り替わるものと考えられる。しかし、放送受信者にとっては放送の切り替わりが頻繁に生ずるとストレスの原因となるため、このような状況が生じないようにすることが望ましい。
【０００６】
受信状況に応じて放送受信機側で放送を切り替える方式としてはデジタルＢＳ放送で実施されている階層化伝送方式の放送受信がある。この方式で階層切り替えを行うときに、閾値に高階層から低階層へ、低階層から高階層へ切り替わる２つの固定閾値を用いて階層切り替えにヒステリシス性を持たせる方法がある。
【０００７】
しかし、上記の切り替え方式は受信状況の大きな変動が短期間でそれほど観測されない場合には有効である。デジタルＢＳ放送では、放送の切り替えの原因となる天候の変化が短期間内に起こることはないので、上記した方法で放送を切り替えても切り替えのチャタリングを防止することができる。
【０００８】
一方、ＩＢＯＣ放送受信機で移動受信を行う場合には、短期間で受信状況が大きく変化することが予想されるので、上記した切り替え方式のみでは切り替えのチャタリングを防止することができないという問題点がある。
【０００９】
本発明は、短期間に受信状況の変動が大きい環境下でもアナログ放送とデジタル放送との切り替えのチャタリングを抑制したＩＢＯＣ放送受信機を提供することを目的とする。
【００１０】
【課題を解決するための手段】
本発明のＩＢＯＣ放送受信機は、サイマル放送のハイブリッド受信のときに異なる２つのビットエラーレートを閾値とし、２つの閾値に基づいてデジタル放送受信とアナログ放送受信と相互に切り替えるＩＢＯＣ放送受信機において、所定期間内に受信放送の切り替えが生じた回数を計数し、この計数値が予め定めた回数を超える場合、２つの閾値間のヒステリス幅を増大させ、ヒステリス幅を増大させた閾値によって所定期間内に受信放送の切り替えが生じた回数を計数して、この計数値が予め定めた回数未満のときは２つの閾値間のヒステリス幅を減少させることを特徴とする。
【００１１】
本発明のＩＢＯＣ放送受信機によれば、サイマル放送のハイブリッド受信のときに異なる２つのビットエラーレートを閾値とし、２つの閾値に基づいてデジタル放送受信とアナログ放送受信と相互に切り替えるＩＢＯＣ放送受信機において、所定期間内に受信放送の切り替えが生じた回数が計数され、この計数値が予め定めた回数を超える場合、２つの閾値間のヒステリス幅が増大させられ、ヒステリス幅を増大させた閾値によって所定期間内に受信放送の切り替えが生じた回数が計数され、この計数値が予め定めた回数未満のときは２つの閾値間のヒステリス幅が減少させられるために、短期間に受信状況の変動が大きい環境下でもアナログ放送とデジタル放送との切り替えのチャタリングが抑制させられる。
【００１２】
【発明の実施の形態】
以下、本発明にかかるＩＢＯＣ放送受信機を実施の一形態によって説明する。
【００１３】
図１は本発明の実施の一形態にかかるＩＢＯＣ放送受信機の構成を示すブロック図である。
【００１４】
本発明の実施の一形態にかかるＩＢＯＣ放送受信機１０は、操作指示がなされる入力装置１と、入力装置１からの操作指示信号を入力するメインコントローラ２と、メインコントローラ２からの出力に基づき制御されるチューナ３と、メインコントローラ２からの出力に基づき制御され、かつチューナ３から出力される中間周波信号および後記のデジタルオーディオ信号が入力されてアナログ復調するアナログ復調部４と、メインコントローラ２からの出力に基づき制御され、かつアナログ復調部４におけるベースバンドプロセッサにより処理されたデジタルベースバンド信号を入力してデジタル復調したデジタルオーディオ信号をアナログ復調部４へ出力するデジタル復調部（ＩＤＭ）５と、アナログ復調部４から出力される音声信号を入力して可聴音に変換する音声出力装置６と、メインコントローラ２の制御の下に入力装置１の操作指示に基づく操作内容などを表示する表示装置７を備えている。
【００１５】
上記のＩＢＯＣ放送受信機１０において、デジタル復調部５にビットエラーレートを検出するビットエラーレート検出部を備え、メインコントローラ２に、サイマル放送のハイブリッド放送受信のとき、ビットエラーレートに基づきデジタル放送受信からアナログ放送受信へと切り替えさせるための第１閾値と、アナログ放送受信からデジタル放送受信へと切り替えさせるための第２閾値とを記憶するメモリ部と、所定期間中における切り替え回数を計数する計数部と、計数部における計数が所定値を越えたとき、第１閾値と第２閾値とを変更して第１閾値と第２閾値との間隔を変更して変更された第１閾値と第２閾値とをメモリ部に記憶させる閾値更新手段とを備えている。
【００１６】
上記のように構成されたＩＢＯＣ放送受信機１０において、放送受信者により入力装置１からハイブリッド受信が指示され、かつハイブリッド放送がサイマル放送であるとメインコントローラに２によって判別されたとき、受信状況に基づいてアナログ放送受信とデジタル放送受信とが切り替えられる。
【００１７】
この場合に、サイマル放送であるか否かはデジタル復調部５における復調デジタルデータ中のサイマル情報に基づき判別され、判別されたサイマル情報を受けたメインコントローラ２の制御の下に、アナログ復調部４における出力切り替えによって受信状況に応じてアナログ放送受信とデジタル放送受信とに切り替えられる。
【００１８】
受信状況に基づくアナログ放送受信とデジタル放送受信との相互切り替えについて図２に基づき詳細に説明する。
【００１９】
サイマル放送のハイブリッド放送受信状態においてビットエラーレートが悪化して、図２（ａ）に示すように、ビットエラーレートがメモリ部から読み出した第２閾値（Ｂ）以上になったと判別されたとき、デジタル放送受信状態（目の粗い表示で模式的に示す）からアナログ放送受信状態（目の細かい表示で模式的に示す）に切り替えられる。この状態におけるハイブリッド放送受信によりビットエラーレートが改善されて、図２（ａ）に示すように、ビットエラーレートが第１閾値（Ａ）以下となったと判別されたときと、アナログ放送受信状態からデジタル放送受信状態に切り替えられる。
【００２０】
上記において閾値の幅は第１閾値（Ａ）と第２閾値（Ｂ）との間の間隔がヒステリシス幅となる。
【００２１】
ビットエラーレートが第１閾値（Ａ）および第２閾値（Ｂ）の状態で、一定期間中において放送が相互に切り替わる回数が計数される。この計数値が予め定めた回数を超えると、メモリに記憶させる第１閾値および第２閾値を、第１閾値（Ａ）から第１閾値（Ａ′）に、および第２閾値（Ｂ）から第２閾値（Ｂ′）に更新される。ここで、ビットレートが増大する方向を正として、第１閾値（Ａ）＞第１閾値（Ａ′）に、第２閾値（Ｂ）＜第２閾値（Ｂ′）に設定され、第１閾値（Ａ′）と第２閾値（Ｂ′）との間の間隔、すなわち、ヒステリシス幅は増大させてある。
【００２２】
ヒステリス幅が増大させられた状態を図２（ｂ）に示す、この状態でハイブリッド放送受信が行われて、ビットエラーレートが悪化して第２閾値（Ｂ′）以上になったと判別されたとき、デジタル放送受信状態からアナログ放送受信状態に切り替えられる。この状態でビットエラーレートが改善されて、図２（ｂ）に示すように、ビットエラーレートが第１閾値（Ａ′）以下となったと判別されたときと、アナログ放送受信状態からデジタル放送受信状態に切り替えられる。
【００２３】
第１閾値（Ａ′）および第２閾値（Ｂ′）の状態におけるハイブリッド放送受信の状態でも、一定期間中において放送が相互に切り替わる回数が計数される。この計数値が予め定めた回数未満になると、メモリに記憶させる第１閾値および第２閾値が、第１閾値（Ａ′）から第１閾値（Ａ）に、および第２閾値（Ｂ）から第２閾値（Ｂ′）に更新されて、図２（ａ）の状態に戻されて、ヒステリス幅が狭められる。
【００２４】
したがって、短期間に受信状況の変動が大きい環境下でもアナログ放送とデジタル放送との切り替えのチャタリングが抑制されることになる。
【００２５】
【発明の効果】
以上説明したように、本発明のＩＢＯＣ放送受信機によれば、所定期間内に受信放送の切り替えが生じた回数を計数して、この計数値が予め定めた回数を超えると、放送受信相互切り替えのための閾値間のヒステリス幅を増大させ、ヒステリス幅を増大させた閾値において所定期間内に受信放送の切り替えが生じた回数を計数して、この計数値が予め定めた回数未満のときは放送受信相互切り替えのための閾値間のヒステリス幅を減少させるようにしたため、短期間に受信状況の変動が大きい環境下でもアナログ放送とデジタル放送との切り替えのチャタリングが抑制されるという効果が得られる。
【図面の簡単な説明】
【図１】本発明の実施の一形態にかかるＩＢＯＣ放送受信機の構成を示すブロック図である。
【図２】本発明の実施の一形態にかかるＩＢＯＣ放送受信機の作用の説明に供する模式図である。
【符号の説明】
１  入力装置
２  メインコントローラ
３  チューナ
４  アナログ復調部
５  デジタル復調部
６  音声出力装置
７  表示装置
１０  ＩＢＯＣ放送受信機
【図１】
2005012595.tif 000003
【図２】
2005012595.tif 000004